(57)【要約】【課題】  大型でかつ円形の領域に、樹脂を均一かつ定量的に供給することが可能な樹脂撒布方法を提供する。【解決手段】  本発明の樹脂撒布方法は、離型フィルム１１上の、略円形の樹脂撒布領域（枠１２の内側）に樹脂を撒布する方法であって、前記樹脂撒布領域上に前記樹脂を落下させながら、前記樹脂の落下点を、前記樹脂撒布領域の円周方向と略一致する方向に（例えば、軌跡１０２に沿って）移動させることにより、前記樹脂を撒布することを特徴とする。【選択図】図３
2015122446.tif 000002
【特許請求の範囲】
【請求項１】
離型フィルム上の、略円形の樹脂撒布領域に樹脂を撒布する方法であって、
前記樹脂撒布領域上に前記樹脂を落下させながら、前記樹脂の落下点を、前記樹脂撒布領域の円周方向と略一致する方向に移動させることにより、前記樹脂を撒布することを特徴とする樹脂撒布方法。
【請求項２】
前記樹脂の落下点を、螺旋状に移動させながら前記樹脂を撒布する請求項１記載の樹脂撒布方法。
【請求項３】
前記樹脂の撒布を、前記樹脂撒布領域上における複数の仮想領域に分けて、各仮想領域内ごとに行い、
前記仮想領域は、前記樹脂撒布領域の外周、中心および半径で囲まれた領域であり、
前記仮想領域内における樹脂の撒布は、前記樹脂の落下点を、前記仮想領域内において、前記樹脂撒布領域の中心部から周縁部に向かって、または、前記樹脂撒布領域の周縁部から中心部に向かって、蛇行させながら行う請求項１記載の樹脂撒布方法。
【請求項４】
前記離型フィルム上に、略円形の枠を載置し、前記枠の内側を前記樹脂撒布領域として前記樹脂を撒布する請求項１から３のいずれか一項に記載の樹脂撒布方法。
【請求項５】
前記樹脂の落下点の移動は、前記離型フィルムを移動させて、前記落下点を前記離型フィルムに対し相対的に移動させることにより行う請求項１から４のいずれか一項に記載の樹脂撒布方法。
【請求項６】
前記離型フィルムをフィルム固定台上に固定した状態で前記樹脂を撒布する請求項１から５のいずれか一項に記載の樹脂撒布方法。
【請求項７】
前記樹脂の落下点を、前記樹脂撒布領域の円周方向と略一致する方向に移動させながら、前記樹脂撒布領域の中心部から周縁部に向かって、または前記樹脂撒布領域の周縁部から中心部に向かって移動させる請求項１から６のいずれか一項に記載の樹脂撒布方法。
【請求項８】
前記樹脂の落下点の移動速度を、略一定に保持する請求項１から７のいずれか一項に記載の樹脂撒布方法。
【請求項９】
前記樹脂の落下点の移動の角速度を、前記樹脂撒布領域の中心部から周縁部に向かうほど遅くする請求項１から８のいずれか一項に記載の樹脂撒布方法。
【請求項１０】
前記樹脂の落下点の移動を、コンピュータプログラムにより制御する請求項１から９のいずれか一項に記載の樹脂撒布方法。
【請求項１１】
前記樹脂の形状が、顆粒状、粉末状、液状、またはペースト状である請求項１から１０のいずれか一項に記載の樹脂撒布方法。
【請求項１２】
樹脂封止成形品用の被樹脂封止部品を樹脂封止する方法であって、
請求項１から１１のいずれか一項に記載の樹脂撒布方法により、樹脂撒布領域に樹脂を撒布する樹脂撒布工程と、
前記離型フィルム上において、前記撒布した樹脂により前記被樹脂封止部品を封止する樹脂封止工程とを含む
ことを特徴とする樹脂封止方法。
【請求項１３】
前記樹脂封止成形品が、樹脂封止電子部品であり、
前記被樹脂封止部品が、電子部品である
請求項１２記載の樹脂封止方法。
【請求項１４】
請求項１から１１のいずれか一項に記載の樹脂撒布方法を行うための樹脂撒布装置であり、
前記樹脂撒布領域上に前記樹脂を落下させる樹脂落下手段と、
前記樹脂の落下点を、前記樹脂撒布領域の円周方向と略一致する方向に移動させる落下点移動手段とを含む、樹脂撒布装置。
【請求項１５】
前記落下点移動手段は、前記樹脂の落下点を、螺旋状に移動させる請求項１４記載の樹脂撒布装置。
【請求項１６】
前記樹脂の撒布を、前記樹脂撒布領域上における複数の仮想領域に分けて、各仮想領域内ごとに行い、
前記仮想領域は、前記樹脂撒布領域の外周、中心および半径で囲まれた領域であり、
前記落下点移動手段は、前記樹脂の落下点を、前記仮想領域内において、前記樹脂撒布領域の中心部から周縁部に向かって、または、前記樹脂撒布領域の周縁部から中心部に向かって、蛇行させる請求項１４記載の樹脂撒布装置。
【請求項１７】
さらに、略円形の枠を含み、
前記離型フィルム上に、前記略円形の枠を載置し、前記枠の内側を樹脂撒布領域として前記樹脂を撒布する請求項１４から１６のいずれか一項に記載の樹脂撒布装置。
【請求項１８】
前記落下点移動手段は、前記離型フィルムを移動させて、前記落下点を前記離型フィルムに対し相対的に移動させる手段である請求項１４から１７のいずれか一項に記載の樹脂撒布装置。
【請求項１９】
さらに、フィルム固定台を含み、
前記離型フィルムを前記フィルム固定台上に固定した状態で前記樹脂を撒布する請求項１４から１８のいずれか一項に記載の樹脂撒布装置。
【請求項２０】
前記落下点移動手段は、前記フィルム固定台を前記離型フィルムとともに移動させて、前記落下点を前記離型フィルムに対し相対的に移動させる手段である請求項１９記載の樹脂撒布装置。
【請求項２１】
前記落下点移動手段は、前記樹脂の落下点を、前記樹脂撒布領域の円周方向と略一致する方向に移動させながら、前記樹脂撒布領域の中心部から周縁部に向かって、または前記樹脂撒布領域の周縁部から中心部に向かって移動させる手段である請求項１４から１９のいずれか一項に記載の樹脂撒布装置。
【請求項２２】
前記落下点移動手段は、前記樹脂の落下点の移動速度を、略一定に保持する請求項１４から２１のいずれか一項に記載の樹脂撒布装置。
【請求項２３】
前記落下点移動手段は、前記樹脂の落下点の移動の角速度を、前記樹脂撒布領域の中心部から周縁部に向かうほど遅くする請求項１４から２２のいずれか一項に記載の樹脂撒布装置。
【請求項２４】
前記落下点移動手段による前記樹脂の落下点の移動を、コンピュータプログラムにより制御する請求項１から２３のいずれか一項に記載の樹脂撒布装置。
【請求項２５】
請求項１２または１３記載の樹脂封止方法を行うための、被樹脂封止部品の樹脂封止装置であり、
前記樹脂撒布工程を行うための樹脂撒布手段と、
前記樹脂封止工程を行うための樹脂封止手段とを含み、
前記樹脂撒布手段が、請求項１４から２４のいずれか一項に記載の樹脂撒布装置である樹脂封止装置。
【請求項２６】
樹脂封止成形品製造装置であって、
離型フィルムを切断する離型フィルム切断手段と、
請求項２５記載の樹脂封止装置と、
搬送手段とを含み、
前記樹脂撒布手段は、切断した前記離型フィルム上に樹脂を撒布し、
前記樹脂封止手段は、切断した前記離型フィルム上において、前記撒布した樹脂により前記被樹脂封止部品を封止して前記樹脂封止成形品を製造し、
前記搬送手段は、樹脂封止前の前記被樹脂封止部品および樹脂封止後の前記樹脂封止成形品を搬送することを特徴とする、樹脂封止成形品製造装置。
【請求項２７】
前記離型フィルム切断手段、前記樹脂撒布手段、前記樹脂封止手段、および前記搬送手段が、それぞれ別のユニットに分かれて配置され、
前記ユニットの少なくとも一つが、他の少なくとも一つの前記ユニットに対し、互いに着脱可能である請求項２６記載の樹脂封止成形品製造装置。
【発明の詳細な説明】
【技術分野】
【０００１】
本発明は、樹脂撒布方法、被樹脂封止部品の樹脂封止方法、樹脂撒布装置、被樹脂封止部品の樹脂封止装置、および樹脂封止成形品製造装置に関する。
【背景技術】
【０００２】
ＩＣ、半導体電子部品等の電子部品は、樹脂封止された樹脂封止電子部品として成形され、用いられることが多い。
【０００３】
電子部品の樹脂封止方法においては、金型キャビティ内に樹脂を供給し、前記金型キャビティ内で前記電子部品を樹脂封止することが行われている。前記金型キャビティ内に樹脂を供給する方法としては、例えば、特許文献１に記載の方法がある。この方法は、まず、前記金型キャビティに対応した貫通孔を備えた樹脂収容用のプレートの下面に離型フィルムを被覆することにより、前記プレート貫通孔をプレート樹脂収容部に形成する。つぎに、前記プレート樹脂収容部に所要量の樹脂材料を供給し、さらに、前記樹脂材料の厚さを均一にして平坦化した樹脂配布済プレートを形成する。この樹脂配布済プレートを前記金型キャビティの位置に載置するとともに、前記離型フィルムを前記キャビティ面に被覆し、前記金型キャビティ内に前記樹脂収容部内から前記樹脂を供給する。
【０００４】
特許文献１に記載された方法によれば、前記金型キャビティ内への樹脂の供給時において、金型キャビティ内に樹脂を効率良く供給することができるとともに、前記金型キャビティ内に供給される樹脂量の信頼性を効率良く向上させることができる。
【先行技術文献】
【特許文献】
【０００５】
【特許文献１】特開２０１０−３６５４２号公報
【発明の概要】
【発明が解決しようとする課題】
【０００６】
近年、半導体部品等の電子部品の基板（ウェーハ）において、大型でかつ円形の基板が用いられている。そこで、前記大型でかつ円形の基板上に載置された電子部品を樹脂封止するために、このような基板に対応した領域に、樹脂を均一かつ定量的に供給可能な方法が求められる。
【０００７】
しかし、特許文献１に記載の方法は、比較的小サイズの矩形の基板および金型キャビティには対応可能であるが、大型でかつ円形の基板に対応した領域に、樹脂を均一かつ定量的に供給することは困難である。
【０００８】
そこで、本発明は、大型でかつ円形の領域に、樹脂を均一かつ定量的に供給することが可能な樹脂撒布方法、被樹脂封止部品の樹脂封止方法、樹脂撒布装置、被樹脂封止部品の樹脂封止装置、および樹脂封止成形品製造装置の提供を目的とする。
【課題を解決するための手段】
【０００９】
前記目的を達成するために、本発明の樹脂撒布方法は、離型フィルム上の、略円形の樹脂撒布領域に樹脂を撒布する方法であって、前記樹脂撒布領域上に前記樹脂を落下させながら、前記樹脂の落下点を、前記樹脂撒布領域の円周方向と略一致する方向に移動させることにより、前記樹脂を撒布することを特徴とする。
【００１０】
また、本発明の被樹脂封止部品の樹脂封止方法は、前記本発明の樹脂撒布方法により、前記離型フィルム上に樹脂を撒布する樹脂撒布工程と、前記離型フィルム上において、前記撒布した樹脂により前記被樹脂封止部品を封止する樹脂封止工程とを含むことを特徴とする。
【００１１】
本発明の樹脂撒布装置は、前記本発明の樹脂撒布方法を行うための樹脂撒布装置であり、前記樹脂撒布領域上に前記樹脂を落下させる樹脂落下手段と、前記樹脂の落下点を、前記樹脂撒布領域の円周方向と略一致する方向に移動させる落下点移動手段とを含む。
【００１２】
本発明の被樹脂封止部品の樹脂封止装置は、前記本発明の被樹脂封止部品の樹脂封止方法を行うための、電子部品の樹脂封止装置であり、前記樹脂撒布工程を行うための樹脂撒布手段と、前記樹脂封止工程を行うための樹脂封止手段とを含み、前記樹脂撒布手段が、前記本発明の樹脂撒布装置である。
【００１３】
本発明の樹脂封止成形品製造装置は、離型フィルムを切断する離型フィルム切断手段と、前記本発明の被樹脂封止部品の樹脂封止装置と、搬送手段とを含み、前記樹脂撒布手段は、切断した前記離型フィルム上に樹脂を撒布し、前記樹脂封止手段は、切断した前記離型フィルム上において、前記撒布した樹脂により前記被樹脂封止部品を封止して前記樹脂封止成形品を製造し、前記搬送手段は、樹脂封止前の前記被樹脂封止部品および樹脂封止後の前記樹脂封止成形品を搬送することを特徴とする。
【発明の効果】
【００１４】
本発明の樹脂撒布方法、被樹脂封止部品の樹脂封止方法、樹脂撒布装置、被樹脂封止部品の樹脂封止装置、および樹脂封止成形品製造装置によれば、大型でかつ円形の領域に、樹脂を均一かつ定量的に供給することが可能である。
【図面の簡単な説明】
【００１５】
【図１】図１は、実施例における離型フィルムの使用形態の一例を示す模式図である。図１（Ａ）は、平面図である。図１（Ｂ）は、断面図である。
【図２】図２は、実施例における樹脂撒布装置の概略を示す模式図である。図２（Ａ）は、平面図である。図２（Ｂ）は、断面図である。
【図３】図３は、実施例の樹脂撒布方法における樹脂の落下点の軌跡を模式的に示す平面図である。
【図４】図４は、図３と別の実施例の樹脂撒布方法における樹脂の落下点の軌跡を模式的に示す平面図である。
【図５】図５は、本発明の樹脂封止成形品製造装置の一例を模式的に示す平面図である。
【発明を実施するための形態】
【００１６】
つぎに、本発明について、例を挙げてさらに詳細に説明する。ただし、本発明は、以下の説明により限定されない。
【００１７】
本発明の樹脂撒布方法においては、前記樹脂の落下点を、螺旋状に移動させながら前記樹脂を撒布することが好ましい。
【００１８】
または、本発明の樹脂撒布方法において、前記樹脂の撒布を、前記樹脂撒布領域上における複数の仮想領域に分けて、各仮想領域内ごとに行い、前記仮想領域は、前記樹脂撒布領域の外周、中心および半径で囲まれた領域であり、前記仮想領域内における樹脂の撒布は、前記樹脂の落下点を、前記仮想領域内において、前記樹脂撒布領域の中心部から周縁部に向かって、または、前記樹脂撒布領域の周縁部から中心部に向かって、蛇行させながら行うことが好ましい。
【００１９】
本発明の樹脂撒布方法において、前記離型フィルム上に、略円形の枠を載置し、前記枠の内側を樹脂撒布領域として前記樹脂を撒布することが好ましい。
【００２０】
本発明の樹脂撒布方法において、前記樹脂の落下点の移動は、前記離型フィルムを移動させて、前記落下点を前記離型フィルムに対し相対的に移動させることにより行うことが好ましい。
【００２１】
本発明の樹脂撒布方法において、前記離型フィルムをフィルム固定台上に固定した状態で前記樹脂を撒布することが好ましい。
【００２２】
本発明の樹脂撒布方法において、前記樹脂の落下点を、前記樹脂撒布領域の円周方向と略一致する方向に移動させながら、前記樹脂撒布領域の中心部から周縁部に向かって、または前記樹脂撒布領域の周縁部から中心部に向かって移動させることが好ましい。
【００２３】
本発明の樹脂撒布方法において、前記樹脂の落下点の移動速度を、略一定に保持することが好ましい。
【００２４】
本発明の樹脂撒布方法において、前記樹脂の落下点の移動の角速度を、前記離型フィルムの中心部から周縁部に向かうほど遅くすることが好ましい。
【００２５】
本発明の樹脂撒布方法において、前記樹脂の落下点の移動を、コンピュータプログラムにより制御することが好ましい。
【００２６】
本発明の樹脂撒布方法において、前記樹脂の形状は、例えば、顆粒状、粉末状、液状、またはペースト状であっても良い。
【００２７】
本発明の被樹脂封止部品の樹脂封止方法において、前記樹脂封止成形品が、樹脂封止電子部品であり、前記被樹脂封止部品が、電子部品であることが好ましい。
【００２８】
本発明の樹脂撒布装置において、前記落下点移動手段は、前記樹脂の落下点を、螺旋状に移動させることが好ましい。
【００２９】
または、本発明の樹脂撒布装置において、前記樹脂の撒布を、前記樹脂撒布領域上における複数の仮想領域に分けて、各仮想領域内ごとに行い、前記仮想領域は、前記樹脂撒布領域の外周、中心および半径で囲まれた領域であり、前記落下点移動手段は、前記樹脂の落下点を、前記仮想領域内において、前記樹脂撒布領域の中心部から周縁部に向かって、または、前記樹脂撒布領域の周縁部から中心部に向かって、蛇行させることが好ましい。
【００３０】
本発明の樹脂撒布装置は、さらに、略円形の枠を含み、前記離型フィルム上に、前記略円形の枠を載置し、前記枠の内側を樹脂撒布領域として前記樹脂を撒布することが好ましい。
【００３１】
本発明の樹脂撒布装置において、前記落下点移動手段は、前記離型フィルムを移動させて、前記落下点を前記離型フィルムに対し相対的に移動させる手段であることが好ましい。
【００３２】
本発明の樹脂撒布装置は、さらに、フィルム固定台を含み、前記離型フィルムを前記フィルム固定台上に固定した状態で前記樹脂を撒布することが好ましい。この場合において、前記落下点移動手段は、前記フィルム固定台を前記離型フィルムとともに移動させて、前記落下点を前記離型フィルムに対し相対的に移動させる手段であることがより好ましい。
【００３３】
本発明の樹脂撒布装置において、前記落下点移動手段は、前記樹脂の落下点を、前記樹脂撒布領域の円周方向と略一致する方向に移動させながら、前記樹脂撒布領域の中心部から周縁部に向かって、または前記樹脂撒布領域の周縁部から中心部に向かって移動させる手段であることが好ましい。
【００３４】
本発明の樹脂撒布装置において、前記落下点移動手段は、前記樹脂の落下点の移動速度を、略一定に保持することが好ましい。
【００３５】
本発明の樹脂撒布装置において、前記落下点移動手段は、前記樹脂の落下点の移動の角速度を、前記樹脂撒布領域の中心部から周縁部に向かうほど遅くすることが好ましい。
【００３６】
本発明の樹脂撒布装置において、前記落下点移動手段による前記樹脂の落下点の移動を、コンピュータプログラムにより制御することが好ましい。
【００３７】
本発明の樹脂封止成形品製造装置において、前記離型フィルム切断手段、前記樹脂撒布手段、前記樹脂封止手段、および前記搬送手段が、それぞれ別のユニットに分かれて配置され、前記ユニットの少なくとも一つが、他の少なくとも一つの前記ユニットに対し、互いに着脱可能であることが好ましい。
【００３８】
以下、本発明の具体的な実施例を図面に基づいて説明する。各図は、説明の便宜のため、適宜省略、誇張等をして模式的に描いている。
【実施例１】
【００３９】
本実施例では、前記樹脂の落下点を、螺旋状に移動させながら前記樹脂を撒布する例について説明する。
【００４０】
図１に、本実施例における離型フィルムの使用形態の一例を模式的に示す。図１（Ａ）は、平面図である。図１（Ｂ）は、図１（Ａ）のＩ−Ｉ’方向に見た断面図である。図示のとおり、この使用形態は、離型フィルム１１、枠１２、およびフィルム固定台１３を含む。離型フィルム１１、枠１２およびフィルム固定台１３は、それぞれ円形である。離型フィルム１１は、フィルム固定台１３上に載置されて固定されている。枠１２は、離型フィルム１１の周縁部に載置されている。離型フィルム１１は、枠１２とフィルム固定台１３との間に挟まれている。すなわち、枠１２は、離型フィルム１１を介してフィルム固定台１３の上に載置されている。離型フィルム１１、枠１２およびフィルム固定台１３は、それぞれ同心（同心円状）に配置されている。このような配置により、枠１２の内周と離型フィルム１１上面とに囲まれた樹脂収容部が形成される。そして、離型フィルム１１上における枠１２の内側が、樹脂撒布領域となる。
【００４１】
図２に、本実施例における樹脂撒布装置の概略を、模式的に示す。図２（Ａ）は、平面図である。図２（Ｂ）は、図２（Ａ）のII−II’方向に見た断面図である。同図の装置は、前記本発明の樹脂撒布装置の一例である。図示のとおり、この装置は、フィルム固定台１３と、フィルム固定台１３を水平方向に移動または回転させるフィルム固定台移動手段（図示せず）と、樹脂供給手段１４と、リニアフィーダ１５とを主要構成要素とする。図２においては、フィルム固定台１３上に、離型フィルム１１および枠１２が、図１に示した状態で載置されている。樹脂供給手段１４の内部には、顆粒樹脂１６が収容されている。リニアフィーダ１５は、樹脂供給手段１４に取り付けられている。リニアフィーダ１５は、樋状または筒状の形状で、顆粒樹脂１６の通路（溝または穴）が形成されている。そして、リニアフィーダ１５の先端の樹脂供給口から、離型フィルム１１上に顆粒樹脂１６を落下させることが可能である。例えば、樹脂供給手段１４をリニアフィーダ１５とともに振動させることにより、樹脂供給手段１４内部の顆粒樹脂１６を、リニアフィーダ１５の先端に向かって移動させ、前記樹脂供給口から落下させることができる。すなわち、樹脂供給手段１４およびリニアフィーダ１５は、離型フィルム上に樹脂を落下させる「樹脂落下手段」に該当する。図２においては、図示のとおり、離型フィルム１１上における枠１２の内側、すなわち、前記樹脂撒布領域に、顆粒樹脂１６を落下させている。これにより、枠１２の内周と離型フィルム１１上面とに囲まれた前記樹脂収容部に、顆粒樹脂１６が供給される。
【００４２】
また、図２の装置は、前記フィルム固定台移動手段により、フィルム固定台１３を、水平方向に自在に移動または回転させることが可能である。前記フィルム固定台移動手段により、フィルム固定台１３を離型フィルム１１とともに移動または回転させて、顆粒樹脂１６の落下点を、離型フィルム１１に対し相対的に移動または回転させることが可能である。これにより、例えば、顆粒樹脂１６の落下点を、離型フィルム１１の円周方向と略一致する方向に移動させることが可能である。すなわち、前記フィルム固定台移動手段は、樹脂の落下点を、離型フィルムの円周方向と略一致する方向に移動させる「落下点移動手段」に該当する。
【００４３】
本実施例の樹脂撒布方法では、図２の装置を用いて、顆粒樹脂１６の落下点を、離型フィルム１１と同心の螺旋状に移動させながら顆粒樹脂１６を撒布する。図３に、本実施例の樹脂撒布方法における、顆粒樹脂１６の落下点の移動軌跡を、模式的に示す。同図は、図１（Ａ）および図２（Ａ）と同様に、離型フィルム１１上に枠１２を載置した状態の平面図である。図示のとおり、離型フィルム１１の中心部１０１から、顆粒樹脂１６（図３においては、図示せず）の落下を開始させる。そして、顆粒樹脂１６の落下点が、枠１２の内側の前記樹脂撒布領域と同心の螺旋状の軌跡１０２（矢印で図示している）を描くように、前記落下点を移動させる。すなわち、前記落下点を、前記樹脂撒布領域の円周方向と略一致する方向に移動させながら、離型フィルム１１の中心部１０１から周縁部に向かって移動させる。このとき、樹脂供給手段１４およびリニアフィーダ１５は動かさない。前述のとおり、前記フィルム固定台移動手段により、フィルム固定台１３を離型フィルム１１とともに移動させて、顆粒樹脂１６の落下点を、離型フィルム１１に対し相対的に移動させる。このようにして、離型フィルム１１上における枠１２の内側（前記樹脂撒布領域）に、顆粒樹脂１６を撒布する。
【００４４】
なお、顆粒樹脂１６を、より均一かつ定量的に撒布する観点から、樹脂落下点の軌跡１０２が途中で途切れないように（一筆書きで）撒布することが好ましい。
【００４５】
本発明において、前記樹脂の落下点を移動させるには、前記離型フィルムを動かさずに前記樹脂の落下点自体を移動させても良い。例えば、図２において、フィルム固定台１３を動かさずに、樹脂供給手段１４およびリニアフィーダ１５を動かして樹脂の落下点を移動させることも可能である。しかし、前述のように、フィルム固定台１３を離型フィルム１１とともに移動させて、顆粒樹脂１６の落下点を、離型フィルム１１に対し相対的に移動させることが好ましい。樹脂供給手段１４およびリニアフィーダ１５を動かさない方が、樹脂供給手段１４およびリニアフィーダ１５の移動に基づく振動等で落下点ごとの樹脂撒布量（供給量）にムラが出ることを防げるためである。
【００４６】
本発明の樹脂の撒布方法においては、樹脂撒布量（供給量）を、落下点ごとに極力一定にする観点から、前述のとおり、前記樹脂の落下点の移動速度を、略一定に保持することが好ましい。このために、前述のように、前記樹脂の落下点の移動の角速度を、前記樹脂撒布領域の中心部から周縁部に向かうほど遅くすることが好ましい。すなわち、図３においては、顆粒樹脂１６の落下点の移動の角速度を、離型フィルム１１の中心部１０１から周縁部に向かうほど遅くするようにして、前記落下点の軌跡１０２を描くことが好ましい。本発明の樹脂の撒布方法において、前記樹脂の落下点の移動速度は、特に限定されない。例えば、前記樹脂の落下点の移動速度が、これらの数値範囲内で略一定となるように、前記落下点の移動の角速度を制御することが好ましい。
【００４７】
また、本発明の樹脂撒布方法において、樹脂の撒布は、前記樹脂撒布領域の中心部から始めて周縁部に向かうことも、逆に周縁部から始めて中心部に向かうことも可能である。例えば、図３において、枠１２の内側（前記樹脂撒布領域）の周縁部から顆粒樹脂１６の落下を開始し、前記落下点を離型フィルム１１の円周方向と略一致する方向に移動させながら、離型フィルム１１の中心部１０１に向かって移動させるようにしても良い。しかし、前述のように、前記樹脂の落下点を、前記樹脂撒布領域の円周方向と略一致する方向に移動させながら、前記樹脂撒布領域の中心部から周縁部に向かって移動させることが好ましい。これは、前述のように、前記樹脂の落下点の移動の角速度を、前記樹脂撒布領域の中心部から周縁部に向かうほど遅くすることが好ましいためである。すなわち、前記樹脂の落下点の移動（例えば、前記離型フィルムの移動による）の角速度が速くなるほど、すでに前記樹脂撒布領域上に供給（撒布）されている前記樹脂が、遠心力により移動しやすい。この遠心力による移動により、前記樹脂撒布領域上の場所ごとの前記樹脂の量が不均一になるおそれがある。これを防止するためには、前記樹脂の落下点を、前記樹脂撒布領域の中心部から周縁部に向かって移動させ、周縁部に向かうほど次第に前記移動の角速度を遅くしていくことが好ましい。
【００４８】
なお、樹脂供給手段１４およびリニアフィーダ１５は、特に限定されず、一般的な電子部品の樹脂封止方法に利用される物をそのまま、または、必要に応じて適宜設計変更して用いても良い。一般的な電子部品の樹脂封止方法に利用される樹脂供給手段およびリニアフィーダとしては、例えば、特許文献１の図１に記載された投入側配布手段３１ａ（フィーダ側の計量手段３３、ホッパ３４およびリニア振動フィーダ３５）等が挙げられる。樹脂供給手段１４は、例えば、計量用のロードセルを備えていることが好ましい。また、前述のとおり、例えば、樹脂供給手段１４をリニアフィーダ１５とともに振動させることにより、樹脂供給手段１４内部の顆粒樹脂を、リニアフィーダ１５の先端に向かって移動させ、前記樹脂供給口から落下させることができる。リニアフィーダ１５において、顆粒樹脂の通路の形状は、特に限定されないが、例えば、前記通路底面が平坦であると、樹脂を均一かつ定量に撒布しやすい。
【００４９】
なお、顆粒樹脂１６の落下点の軌跡は、図３の符号１０２で示した軌跡のように反時計回りでも良いが、時計回りでも良く、特に限定されない。フィルム固定台１３の移動により、図３のように軌跡１０２を反時計回りに描く場合は、フィルム固定台１３を時計回りに回転させることになる。
【００５０】
また、顆粒樹脂１６の落下点の移動は、前述のとおり、コンピュータプログラムにより制御することが好ましい。これにより、例えば、顆粒樹脂１６を、より均一かつ定量に撒布できるとともに、軌跡１０２の描き始めから描き終わりまでに、顆粒樹脂１６を所定の量で（多すぎず少なすぎない量で）撒布することができる。同様の理由により、本発明の樹脂撒布方法において、前記樹脂の落下点の軌跡が図３と異なる場合でも、同様にコンピュータプログラムにより制御することが好ましい。
【００５１】
つぎに、離型フィルム１１上の前記樹脂撒布領域に顆粒樹脂１６を撒布（前記樹脂撒布工程）した後、離型フィルム１１上において、撒布した顆粒樹脂１６により電子部品を封止することができる（前記樹脂封止工程）。前記樹脂封止工程は、特に限定されず、例えば、一般的な樹脂封止方法に準じて行っても良く、例えば、特許文献１に記載の樹脂封止方法等に準じても良い。
【００５２】
なお、本発明において、前記樹脂撒布領域の形状は、理想的には真円であるが、略円形であれば良く、真円でなくても良い。略円形の具体例としては、例えば、楕円形、真円に近い楕円形、多角形（例えば、六角形、八角形、十角形）等が挙げられる。理想的には、前記樹脂撒布領域の短径（最も短い直径）と長径（最も長い直径）の長さが同じ（すなわち、前記樹脂撒布領域が真円）である。また、前記離型フィルムの形状は、特に限定されず、真円でも略円形でも良いが、そのいずれでもない任意の形状（例えば、正方形、長方形等）であっても良い。ただし、本発明の樹脂撒布方法実施時における前記離型フィルムの取扱い易さ等の観点から、前記離型フィルムが略円形または真円であることが好ましい。なお、以下において、前記樹脂撒布領域および前記離型フィルム等の「直径」は、特に断らない限り、長径をいう。
【００５３】
また、離型フィルム１１のサイズは、特に限定されないが、本発明は、前述のとおり、大型の離型フィルム上への樹脂撒布に特に適している。本発明において、離型フィルム１１上における、樹脂が撒布される領域（図３では、枠１２の内側の部分）の直径は、特に限定されない。一例として、前記樹脂撒布領域の直径が、例えば、３００ｍｍであっても良い。
【００５４】
また、本発明では、前記樹脂の形状は、特に限定されず、例えば、前述のとおり、顆粒状、粉末状、液状、またはペースト状であっても良い。前記樹脂の形状は、顆粒状または粉末状が好ましく、本実施例のように顆粒状が特に好ましい。前記樹脂の種類も特に限定されず、例えば、熱可塑性樹脂または熱硬化性樹脂のいずれであっても良い。また、前記樹脂は、例えば、透明樹脂、半透明樹脂、および不透明樹脂からなる群から選択される少なくとも一つであっても良い。
【００５５】
本発明によれば、前述のとおり、大型でかつ円形の領域に、樹脂を均一かつ定量的に供給することが可能である。例えば、正確に計量した一定量の樹脂を、前記円形の領域（樹脂撒布領域）内に、均等な厚さで平坦化して供給する（単位時間当たり一定量の樹脂を撒布する）ことができる。これにより、例えば、大型で円形の基板を有する樹脂封止電子部品の製造に対応可能である。
【実施例２】
【００５６】
つぎに、本発明の別の実施例について説明する。
【００５７】
本実施例は、前記樹脂の撒布を、前記樹脂撒布領域上における複数の仮想領域に分けて、各仮想領域内ごとに行う。前記仮想領域は、前記樹脂撒布領域の外周、中心および半径で囲まれた領域である。前記仮想領域内における樹脂の撒布は、前記樹脂の落下点を、前記仮想領域内において、前記樹脂撒布領域の中心部から周縁部に向かって、または、前記樹脂撒布領域の周縁部から中心部に向かって、蛇行させながら行う。これら以外は、前記実施例１と同様にして行うことができる。
【００５８】
図４に、本実施例の樹脂撒布方法における、顆粒樹脂１６の落下点の移動軌跡を、模式的に示す。同図は、図１（Ａ）および図２（Ａ）と同様に、離型フィルム１１上に枠１２を載置した状態の平面図である。図示のとおり、前記樹脂撒布領域を、８つの仮想領域１０３に分けて、各仮想領域ごとに顆粒樹脂１６を撒布する。図示のとおり、仮想領域１０３は、前記樹脂撒布領域の外周、中心および半径で囲まれた領域である。また、顆粒樹脂１６の落下点の移動の軌跡は、蛇行する矢印１０４で示している。図示のとおり、各仮想領域１０３内における顆粒樹脂１６の撒布は、顆粒樹脂１６の落下点を、仮想領域１０３内において、前記樹脂撒布領域の中心部から周縁部に向かって、矢印１０４に沿って蛇行（つづら折り、ジグザグ）させながら行う。なお、顆粒樹脂１６の落下点の移動は、図４と逆に、前記樹脂撒布領域の周縁部から中心部に向かって行っても良い。しかし、実施例１と同様の理由（撒布済樹脂の遠心力による移動を防止するため）により、前記樹脂撒布領域の中心部から周縁部に向かって顆粒樹脂１６の落下点を移動させることが好ましい。このようにして、１つの仮想領域１０３に顆粒樹脂１６を撒布し終えたら、他の１つの仮想領域内に、同様にして顆粒樹脂１６を撒布する。このようにして、１つずつ、全ての仮想領域内に顆粒樹脂１６を撒布することにより、前記樹脂撒布領域内の全てに顆粒樹脂１６を撒布する。
【００５９】
本実施例のように、前記樹脂撒布領域を複数の仮想領域に分けて１つずつ撒布すると、落下点ごとの樹脂撒布量（供給量）をより均一にしやすい。具体的には、例えば、前記樹脂の落下点の移動を、コンピュータプログラムにより制御する場合、前記制御が、より行いやすいため、落下点ごとの樹脂撒布量（供給量）をより均一にしやすい。これにより、前記樹脂撒布領域内に、樹脂をさらに均一かつ定量的に供給しやすくなる。前記仮想領域の数は、図４では８個であるが、これには限定されず、任意である。前記仮想領域の数は、例えば、４〜８個等であっても良い。
【００６０】
なお、本実施例においても、実施例１と同様の理由により、前記樹脂の落下点の移動速度を、略一定に保持することが好ましい。このために、前述のように、前記樹脂の落下点の移動の角速度を、前記樹脂撒布領域の中心部から周縁部に向かうほど遅くすることが好ましい。前記樹脂の落下点の移動速度および前記移動の角速度の具体的な数値は、特に限定されないが、例えば、実施例１と同様である。
【実施例３】
【００６１】
つぎに、本発明のさらに別の実施例について説明する。本実施例は、本発明の樹脂封止成形品製造装置の一例およびそれを用いた樹脂封止電子部品（樹脂封止成形品）の製造方法について説明する。
【００６２】
図５の平面図に、本実施例の樹脂封止成形品の構成を、模式的に示す。同図の樹脂封止成形品製造装置は、樹脂封止電子部品を製造するための装置である。図示のとおり、この装置は、離型フィルム切断ユニット（離型フィルム切断手段）５１０、樹脂撒布手段（樹脂撒布ユニット）５２０、樹脂封止手段（樹脂封止ユニット）５３０、および搬送手段（搬送ユニット）５４０が、同図右側から、前記順序で並んで配置されている。前記各ユニットは、それぞれ別に分かれているが、隣接するユニットに対し、互いに着脱可能である。
【００６３】
離型フィルム切断ユニット（離型フィルム切断手段）５１０は、長尺の離型フィルムから円形の離型フィルムを切断して分離することができる。図示のとおり、離型フィルム切断ユニット５１０は、フィルム固定台載置手段５１１、ロール状離型フィルム５１２およびフィルムグリッパ５１３を含む。フィルム固定台載置手段５１１の上面には、図１および２のフィルム固定台１３（図５では、図示せず）が載置されている。図示のように、ロール状離型フィルム５１２から、離型フィルムの先端を引き出してフィルム固定台載置手段５１１上に載置されたフィルム固定台１３の上面を覆い、フィルム固定台１３上で前記離型フィルムを固定することができる。フィルムグリッパ５１３は、ロール状離型フィルム５１２から引き出した前記離型フィルムの先端を、フィルム固定台載置手段５１１から見てロール状離型フィルム５１２と反対側で固定するとともに、前記離型フィルムを、ロール状離型フィルム５１２から引き出すことができる。フィルム固定台載置手段５１１上では、カッター（図示せず）により前記離型フィルムを切断し、円形の離型フィルム１１とすることができる。さらに、離型フィルム切断ユニット５１０は、円形の離型フィルム１１を切断して分離した残りの離型フィルム（廃材）を処理する廃材処理手段（図示せず）を含む。
【００６４】
樹脂撒布ユニット（樹脂撒布手段）５２０は、実施例１または２の樹脂撒布装置と、樹脂ローダ５２１と、後処理手段５２２を含む。前記樹脂撒布装置は、実施例１および２で説明したように、離型フィルム１１、枠１２、フィルム固定台１３、樹脂供給手段１４、およびリニアフィーダ１５を含む。なお、図５は、図２と同様、平面図（上から見た図）のため、フィルム固定台１３は、見えないので、図示していない。また、図５では、前記樹脂撒布装置は、さらに、フィルム固定台移動手段５２３を含む。フィルム固定台移動手段５２３の上には、フィルム固定台１３および離型フィルム１１が載置されている。フィルム固定台移動手段５２３を水平方向に移動または回転させることにより、その上に載置されたフィルム固定台１３を、離型フィルム１１ごと移動または回転させることが可能である。同図では、フィルム固定台移動手段５２３は、前述のフィルム固定台載置手段５１１と同一であり、離型フィルム切断ユニット５１０と樹脂撒布ユニット５２０の間を移動することができる。また、樹脂ローダ５２１と後処理手段５２２とは、一体化されて形成されている。樹脂ローダ５２１を用いて、枠（円形枠）１２の下端面に吸着固定した離型フィルム１１上に（樹脂収容部に）顆粒樹脂１６（図５では、図示せず）を供給した状態で、円形枠１２および離型フィルム１１を係着することができる。そして、その状態で、樹脂封止ユニット（成形ユニット）５３０内の、後述する圧縮成形用の下型キャビティ内に、離型フィルム１１を被覆させた状態で顆粒樹脂を供給セットすることができる。
【００６５】
樹脂封止ユニット（成形ユニット）５３０は、図示のとおり、金型（成形型）５３１を含む。金型５３１は、上型および下型（図示せず）を主要構成要素とし、下型キャビティ５３２は、図示するように、円形である。金型５３１は、さらに、上型基板セット部（図示せず）と、樹脂加圧用のキャビティ底面部材（図示せず）とが設けられている。樹脂封止ユニット（成形ユニット）５３０では、後述する樹脂封止前基板（成形前基板）に装着された電子部品（例えば半導体チップ）を、下型キャビティ内で封止樹脂（樹脂パッケージ）内に樹脂封止して樹脂封止済基板（成形済基板）を形成することができる。
【００６６】
搬送手段（搬送ユニット）５４０は、樹脂封止前の前記電子部品（被樹脂封止部品）を、基板ごと搬送すること、および、樹脂封止後の樹脂封止電子部品（樹脂封止成形品）を搬送することができる。図示のとおり、搬送手段（搬送ユニット）５４０は、基板ローダ５４１、レール５４２、ロボットアーム５４３を含む。レール５４２は、搬送手段（搬送ユニット）５４０から突出して、樹脂封止ユニット５３０および樹脂撒布ユニット５２０の領域まで達している。基板ローダ５４１は、その上に基板５４４を載置することができる。基板５４４は、樹脂封止前基板（成形前基板）５４４ａでも良いし、樹脂封止済基板（成形済基板）５４４ｂでも良い。基板ローダ５４１および樹脂ローダ５２１（後処理手段５２２）は、レール５４２上で、樹脂撒布ユニット５２０、樹脂封止ユニット５３０、および搬送ユニット５４０間を移動することが可能である。また、図示のとおり、搬送ユニット５４０は、基板収容部を含み、樹脂封止前基板（成形前基板）５４４ａおよび樹脂封止済基板（成形済基板）５４４ｂをそれぞれ収容することが可能である。成形前基板５４４ａには、電子部品（図示せず、例えば半導体チップ）が装着されている。成形済基板５４４ｂは、前記電子部品が、樹脂（封止樹脂）１６ｂにより封止され、樹脂封止電子部品（樹脂封止成形品）が形成されている。ロボットアーム５４３は、例えば、以下のように使用できる。すなわち、第１に、成形前基板５４４ａの収容部から取り出した成形前基板５４４ａを、表裏を反転させることにより、電子部品装着面側を下方に向けて基板ローダ５４１に載置させることができる。第２に、成形済基板５４４ｂを基板ローダ５４１から取り出し表裏を反転させることにより、封止樹脂１６ｂ側を上方に向けて、成形済基板５４４ｂを成形済基板の収容部に収容することができる。
【００６７】
図５の樹脂成形品製造装置を用いた樹脂封止電子部品（樹脂封止成形品）の製造方法は、例えば、以下のようにして行うことができる。
【００６８】
まず、離型フィルム切断ユニット（離型フィルム切断手段）５１０において、前述のように、ロール状離型フィルム５１２から、離型フィルムの先端を、フィルムグリッパ５１３により引き出してフィルム固定台載置手段５１１上に載置されたフィルム固定台１３の上面を覆い、フィルム固定台１３上で前記離型フィルムを固定する。その状態で、前記のように、カッター（図示せず）により前記離型フィルムを切断し、円形の離型フィルム１１とする。円形の離型フィルム１１を切断して分離した残りの離型フィルム（廃材）は、廃材処理手段（図示せず）により処理する。
【００６９】
つぎに、フィルム固定台載置手段５１１（フィルム固定台移動手段５２３）を、その上に載置されたフィルム固定台１３（図示せず）および離型フィルム１１ごと、樹脂供給ユニット５２０内におけるリニアフィーダ１５の樹脂供給口の下方まで移動させる。そして、離型フィルム１１上に円形枠１２を載置し、円形枠１２の下端面で離型フィルム１１を吸着して固定する。この状態で、円形枠１２内の離型フィルム１１上に、樹脂（例えば顆粒樹脂１６）を撒布する。前記樹脂の撒布は、例えば、実施例１または２で説明したようにして行うことができる。この場合、前記樹脂の落下点の移動は、フィルム固定台移動手段５２３を、その上に載置されたフィルム固定台１３（図示せず）および離型フィルム１１（円形枠１２）ごと移動（または回転）させることにより行うことができる。
【００７０】
つぎに、離型フィルム１１（および円形枠１２内に撒布された樹脂）をフィルム固定台移動手段５２３から移動させ、樹脂ローダ５２１に円形枠１２ごと把持する。フィルム固定台移動手段５２３から樹脂ローダ５２１への離型フィルム１１の移動は、樹脂ローダ５２１が有する把持手段（図示せず）で離型フィルム１１を含む円形枠１２（樹脂）を把持して行うことができる。
【００７１】
つぎに、ロボットアーム５４３により、前述のように、成形前基板５４４ａの収容部から取り出した成形前基板５４４ａを、表裏を反転させる。これにより、電子部品装着面側を下方に向けて成形前基板５４４ａを基板ローダ５４１に載置させ、樹脂封止ユニット５３０内に搬送する。このとき、成形前基板５４４ａは上型（金型５３１）の型面に供給セットされる。つぎに、円形枠１２（離型フィルム１１および前記樹脂を含む）を把持した樹脂ローダ５２１を、樹脂ローダ５２１と一体化した後処理手段５２２とともに、レール５４２上を移動させ、樹脂封止ユニット５３０内に搬送する。このとき、離型フィルム１１を固定した円形枠１２（樹脂）を下型の型面に載置することにより、円形の開口部を有する下型キャビティ５３２内に離型フィルム１１を被覆させ、下型キャビティ５３２内に樹脂を供給することができる。なお、樹脂ローダ５２１は、このあと、円形枠１２を把持した状態で樹脂撒布ユニット５２０側に移動させる。そして、樹脂撒布ユニット５２０におけるフィルム固定台１３の上に載置された離型フィルム１１の上に円形枠１２を載置し、再び、円形枠１２内の離型フィルム１１の上に樹脂が撒布されることになる。
【００７２】
つぎに、樹脂封止ユニット５３０において、金型５３１（上型と下型と）を型締めする。これにより、前記上型にセットされた成形前基板５４４ａに装着された電子部品が下型キャビティ５３２内の樹脂に浸漬された状態となり、下型キャビティ５３２内の樹脂をキャビティ底面部材で加圧することができる。そして、金型５３１（下型キャビティ５３２）内で、前記樹脂を溶融および固化させ、固化後の樹脂１６ｂで前記電子部品を封止する。これにより、樹脂封止済基板５４４ｂ（成形済基板、樹脂封止電子部品）が形成される。次に、金型５３１（上型と下型と）を型開きすることにより、基板ローダ５４１にて樹脂封止済基板５４４ｂを取り出し、さらに、搬送ユニット５４０側に搬送して収容する。また、基板ローダ５４１で金型５３１から樹脂封止済基板（成形済基板、樹脂封止電子部品）５４４ｂを取り出した後、後処理手段５２２の上型面クリーナ（図示せず）を使用して、上型の基板セット部をクリーニングする。これと並行して、またはタイミングをずらせて、後処理手段の離型フィルム除去手段（図示せず）を使用して、不要になった離型フィルムを下型面から取り出すことができる。
【００７３】
または、樹脂封止済基板５４４ｂ（樹脂封止電子部品）を載置した基板ローダ５４１を樹脂封止ユニット５３０内から搬送ユニット５４０内まで移動させても良い。この場合、ロボットアーム５４３により、前述のように、樹脂封止済基板（成形済基板、樹脂封止電子部品）５４４ｂを基板ローダ５４１から取り出し表裏を反転させる。これにより、封止樹脂１６ｂ側を上方に向けて、樹脂封止済基板（成形済基板、樹脂封止電子部品）５４４ｂを、樹脂封止済基板（成形済基板、樹脂封止電子部品）の収容部に収容する。このようにして、樹脂封止電子部品（樹脂封止成形品）を製造することができる。
【００７４】
なお、本発明の樹脂成形品製造装置においては、さらに、制御部が各構成要素を制御しても良い。すなわち、本発明の樹脂成形品製造装置は、手動機として機能させても良いが、前記制御部により前記各構成要素を制御し、全自動機として機能させても良い。
【００７５】
また、本発明の樹脂成形品製造装置の各ユニットの配置は、特に限定されない。しかしながら、図５に示したように、基板を供給する搬送ユニットと、離型フィルム上に樹脂を撒布する樹脂撒布ユニットとが、樹脂封止ユニット（成形ユニット）の両側に分かれて相対向して配置されていることが好ましい。このように配置すれば、顆粒樹脂の微粉末と基板とが接触することを抑制できるためである。特に、成形前（樹脂封止前）基板に顆粒樹脂の微粉末が付着すると成形不良が発生するおそれがある。また、成形済（樹脂封止済）基板に顆粒樹脂の微粉末が付着すると後工程に悪影響を与えるおそれがある。
【００７６】
図５の樹脂成形品製造装置においては、前述のとおり、基板を供給する搬送ユニット５４０と、離型フィルム上に樹脂を撒布する樹脂撒布ユニット５２０とが、成形ユニット（樹脂封止ユニット）５３０を挟んで相対向して配置されている。さらに、樹脂撒布ユニット５２０の外側に、円形状の離型フィルムを形成する離型フィルム切断ユニット５１０が配置されている。この樹脂成形品製造装置は、前記各ユニットが分かれて配置された、分離型の樹脂成形品製造装置である。前述のとおり、本発明の樹脂成形品製造装置の各ユニットの配置は、特に限定されず、図５の配置以外でも良い。例えば、成形ユニット（樹脂封止ユニット）を、所要数、着脱可能に配置させた構成を採用することができる。また、離型フィルム切断ユニット（円形状の離型フィルム形成ユニット）、樹脂撒布ユニットおよび搬送ユニット（基板ユニット）とを樹脂封止ユニットの一方側に寄せて配置させることができる。この場合には、離型フィルムユニットと樹脂撒布ユニットと基板ユニットとが親ユニットになり、樹脂封止ユニットが子ユニットになる（親子型）。この場合において、所要数の成形ユニット（樹脂封止ユニット）を順次並べて配置させることができる。また、離型フィルム切断ユニット、樹脂撒布ユニット、および搬送ユニット（基板ユニット）を一体化してもよい。また、離型フィルム切断ユニットと樹脂撒布ユニットと搬送ユニット（基板ユニット）とを１個の成形ユニットとを一体化してもよく、それらの構成要素が一体化された全体は、樹脂成形品製造装置（例えば、圧縮成形装置）として単独で機能する。
【００７７】
また、搬送ユニット（基板ユニット）と樹脂撒布ユニットとの間に複数の成形ユニット（樹脂封止ユニット）を配置する場合、および、親ユニットに対して複数の成形ユニット（樹脂封止ユニット）を順次配置する場合には、次のように配置することが好ましい。すなわち、基板ローダと樹脂ローダと後処理手段とを含む構成要素が移動する際に使用されるレールが伸びる方向に沿って、前記各成形ユニットを並べて配置する。また、本発明の樹脂成形品製造装置の各ユニットは、例えば、ボルトおよびナット等の連結手段を使用して、または、適宜な位置決め手段を用いて、互いに着脱可能とすることができる。また、成形ユニット（樹脂封止ユニット）に対して、他の成形ユニット（樹脂封止ユニット）を着脱可能に構成することができる。このことによって、成形ユニット（樹脂封止ユニット）を事後的に増減することができる。
【００７８】
また、図５では、樹脂封止電子部品の製造装置およびそれを用いた樹脂封止電子部品の製造方法について説明した。しかし、本発明の樹脂撒布方法、被樹脂封止部品の樹脂封止方法、樹脂撒布装置、被樹脂封止部品の樹脂封止装置、および樹脂封止成形品製造装置は、樹脂封止電子部品に限定されず、それ以外の任意の樹脂封止成形品の製造にも適用することができる。例えば、レンズ、光学モジュール、導光板等の光学部品、またはその他の樹脂製品を圧縮成形によって製造する場合に、本発明を適用することができる。
【００７９】
本発明は、上述の実施例に限定されるものではなく、本発明の趣旨を逸脱しない範囲内で、必要に応じて、任意にかつ適宜に組み合わせ、変更し、または選択して採用できるものである。
【符号の説明】
【００８０】
１１    離型フィルム
１２    枠
１３    フィルム固定台
１４    樹脂供給手段
１５    リニアフィーダ
１６    顆粒樹脂
１６ｂ  樹脂
５１    基板
５２    電子部品
１０１  樹脂撒布領域の中心部
１０２、１０４  顆粒樹脂１６の落下点の軌跡
１０３  樹脂撒布領域上の仮想領域
【図１】
2015122446.tif 000003
【図２】
2015122446.tif 000004
【図３】
2015122446.tif 000005
【図４】
2015122446.tif 000006
【図５】
2015122446.tif 000007